(57)【要約】【課題】より確実に防虫効果が得られる建築基礎の防虫対策技術を提供する。【解決手段】建築基礎構造は、建築基礎１と、基礎パッキン２と、土台３と、壁部４と、外装材５と、水切り板６とで主に構成されている。虫返し構造は、基礎パッキン２と虫返し板７と取付治具８とから構成される。取付治具８は基礎パッキン２の通気孔に挿入される、または、基礎パッキン２の隔壁に挟着される。取付治具８を介して虫返し板７は基礎パッキン２に取り付けられる。【選択図】図１
2018003486.tif 000002
【特許請求の範囲】
【請求項１】
建築基礎の天端に設けられ、複数の隔壁と、前記隔壁により形成される通気孔とを有する基礎パッキンと、
建築基礎の側面に設けられ、虫返し部を有する虫返し板と、
前記虫返し板を基礎パッキンに取付ける取付治具と
を備えることを特徴とする虫返し構造。
【請求項２】
前記取付治具は基礎パッキン取付部を有し、
前記基礎パッキン取付部は前記通気孔に挿入され係止される
ことを特徴とする請求項１記載の虫返し構造。
【請求項３】
前記取付治具は基礎パッキン取付部を有し、
前記基礎パッキン取付部は前記隔壁に挟着される
ことを特徴とする請求項１記載の虫返し構造。
【請求項４】
前記取付治具は面取挿入部を有し、
前記面取挿入部は、建築基礎天端と前記基礎パッキン下面とにより形成される面取空間に挿入され係止される
ことを特徴とする請求項１記載の虫返し構造。
【請求項５】
前記取付治具は虫返し板取付部を有し、
前記虫返し板取付部は建築基礎側面に当接される
ことを特徴とする請求項１記載の虫返し構造。
【請求項６】
前記虫返し板と前記取付治具とは一体である
ことを特徴とする請求項１記載の虫返し構造。
【請求項７】
基礎パッキンに直接的または間接的に取り付けられる取付部と、
建築基礎の側面に当接される建築基礎当接部と、
前記建築基礎当接部から斜め下方に延設される虫返し部と
を有し、
前記建築基礎当接部は、未取付状態において、建築基礎当接想定面に対し、下端が建築基礎側になるように、所定角度、傾斜している
ことを特徴とする虫返し板。
【請求項８】
建築基礎の天端に設けられ複数の隔壁と前記隔壁により形成される通気孔とを有する基礎パッキンに取付けられる基礎パッキン取付部と、
建築基礎の側面に設けられ虫返し部を有する虫返し板に取付けられる虫返し板取付部と、
を有することを特徴とする取付治具。
【発明の詳細な説明】
【技術分野】
【０００１】
本発明は建築基礎の防虫対策技術に関する。
【背景技術】
【０００２】
住宅基礎には換気が必須である。住宅基礎の換気に不具合があると、床下に湿気がたまり、カビが発生したり、木材が腐ったりする。そのため、建築基礎側面に例えば２００ｍｍ×４００ｍｍ程度の換気口（開口部）を設けることが多い。
【０００３】
しかしながら、建築基礎に換気口を設けると、建築基礎の強度低下を招くおそれがある。また、強度確保の観点から換気口の数は制限され、換気口から遠い範囲では湿気がこもりやすい。さらに、換気口から小動物が侵入するおそれもある。
【０００４】
そこで、換気口に変えて基礎パッキン（換気台輪とも呼ぶ）が提案されている（特許文献１）。基礎パッキンは、床下換気をするための孔が複数設けられた樹脂製部材であり、建築基礎と土台の間に介設される。
【０００５】
基礎パッキンは、建築基礎略全外周を囲むように設けられ、全方向から床下への通気を可能とする。また、多数の通気孔により、通気量を確保する。一方で、建築基礎には欠損部は生じず強度低下のおそれはない。
【０００６】
さらに、一つの通気孔は、例えば２０ｍｍ×１０ｍｍ程度（またはそれ以下）であり、ネズミ等小動物が侵入するおそれもない。
【先行技術文献】
【特許文献】
【０００７】
【特許文献１】特開２０１２−１８４６２０号公報
【発明の概要】
【発明が解決しようとする課題】
【０００８】
基礎パッキンはの通気孔サイズは比較的小さく、小動物の侵入を防止することはできるものの、蟻などの虫の侵入までは防止できない。
【０００９】
特許文献１では、基礎パッキン等を薬剤処理するとともに、水切裏側に薬剤処理されたシートやプレートを設置して、防蟻効果を期待している。
【００１０】
上記薬剤処理は、適正な用法であれば、直ちに健康被害に結び付くものではないが、物理的な防蟻効果と併用することにより、相乗効果を期待できたり、薬剤使用料を減らすこともできる。
【００１１】
本発明は、上記課題を解決するものであり、より確実に防虫効果が得られる建築基礎の防虫対策技術を提供することを目的とする。
【課題を解決するための手段】
【００１２】
上記課題を解決するために、本発明の一態様である虫返し構造は、建築基礎の天端に設けられ、複数の隔壁と、前記隔壁により形成される通気孔とを有する基礎パッキンと、建築基礎の側面に設けられ、虫返し部を有する虫返し板と、前記虫返し板を基礎パッキンに取付ける取付治具とを備える。
【００１３】
これにより建築基礎において、より確実に防虫効果が得られる。
【００１４】
上記発明において、好ましくは、前記取付治具は基礎パッキン取付部を有し、前記基礎パッキン取付部は前記通気孔に挿入され係止される。
【００１５】
これにより、既存の基礎パッキンの形状を最大限利用しながら、簡易な構成で虫返し構造を実現できる。
【００１６】
上記発明において、好ましくは、前記取付治具は基礎パッキン取付部を有し、前記基礎パッキン取付部は前記隔壁に挟着される。
【００１７】
これにより、既存の基礎パッキンの形状を最大限利用しながら、簡易な構成で虫返し構造を実現できる。
【００１８】
上記発明において、好ましくは、前記取付治具は面取挿入部を有し、前記面取挿入部は、建築基礎天端と前記基礎パッキン下面とにより形成される面取空間に挿入され係止される。
【００１９】
これにより、より確実に取付治具を基礎パッキンに取付けることができる。
【００２０】
上記発明において、好ましくは、前記取付治具は虫返し板取付部を有し、前記虫返し板取付部は建築基礎側面に当接される。
【００２１】
これにより、より確実に取付治具を基礎パッキンに取付けることができる。
【００２２】
上記発明において、好ましくは、前記虫返し板と前記取付治具とは一体である。
【００２３】
上記課題を解決するために、本発明の虫返し板は、基礎パッキンに直接的または間接的に取り付けられる取付部と、建築基礎の側面に当接される建築基礎当接部と、前記建築基礎当接部から斜め下方に延設される虫返し部とを有する。前記建築基礎当接部は、未取付状態において、建築基礎当接想定面に対し、下端が建築基礎側になるように、所定角度、傾斜している。
【００２４】
これにより、虫返し板はより確実に建築基礎の側面に当接される。
【００２５】
上記課題を解決するために、本発明の取付治具は、建築基礎の天端に設けられ複数の隔壁と前記隔壁により形成される通気孔とを有する基礎パッキンに取付けられる基礎パッキン取付部と、建築基礎の側面に設けられ虫返し部を有する虫返し板に取付けられる虫返し板取付部と、を有する。
【００２６】
これにより、取付治具を介して虫返し板は基礎パッキンに取り付けられる。
【発明の効果】
【００２７】
本発明によれば、より確実に防虫効果が得られる。
【図面の簡単な説明】
【００２８】
【図１】建築基礎構造断面図
【図２】基礎パッキン設置状態図
【図３】治具取付状態図
【図４】虫返し板取付図
【図５】虫返し板
【図６】取付治具
【図７】取付治具
【図８】取付治具の補助機能
【図９】変形例１  各構成
【図１０】変形例１  取付状態図
【図１１】変形例２
【発明を実施するための形態】
【００２９】
〜建築基礎構造構成〜
図１は建築基礎構造および虫返し構造の概略構成図である。図２〜４は、本実施形態に係る虫返し構造の取付手順を説明する図である。
【００３０】
まず、一般的な建築基礎構造について説明する。建築基礎構造は、建築基礎１と、基礎パッキン２と、土台３と、壁部４と、外装材５と、水切り板６とで主に構成されている。
【００３１】
建築基礎１は住宅を支持するための鉄筋コンクリート製の部材であり、底面を構成するスラブと底面から立ち上がる立ち上り部とを備えている。建築基礎１には、ベタ基礎や布基礎があるが、本実施形態ではいずれでもよい。
【００３２】
基礎パッキン２は、建築基礎１と土台３との間に介設される樹脂製の部材である。基礎パッキン２は、住宅の外周に位置する建築基礎１の略全長に亘って設けられている。
【００３３】
略平面視したときの基礎パッキン２の特徴について説明する。２つの長尺部材が短尺方向に連設部を介して連設されている。基礎パッキンの長尺方向が建築基礎１の長手方向に沿うように（かつ面と面が一致するよう）配設される（図２参照）。上記配設により、２つの長尺部材の間には、建築基礎１から立設されたアンカーボルト（図示省略）を挿通する空間が形成される。
【００３４】
略立面視したときの基礎パッキン２の特徴について説明する。基礎パッキン３は例えば２０ｍｍ程度の厚みで形成されている。長尺方向に連続する複数の通気孔２１を備えている。多数の通気孔２１により外部と床下空間との通気が可能になる。
【００３５】
通気孔２１は、基礎パッキン上底部２２と基礎パッキン下底部２３と連続する隔壁２４，２４とにより形成された空間である（図８参照）。
【００３６】
土台３は、基礎パッキン２の上に設置された木材であることが多い。土台３はアンカーボルト（図示省略）によって建築基礎１に固定される。土台３の上には、水平方向に延びる平板部材である床材（図示省略）が設置されている。
【００３７】
壁部４は、鉛直方向に立設される部材であって、床材上に設置されている。外装材５は、隙間を介して壁部４に設けられている。外装材５は、鉛直方向に立設し、住宅の外側を覆う板状部材である。
【００３８】
水切り板６は、土台３側面にスクリュー釘により取り付けられた金属製の板状部材である。水切り板６は、建築基礎１上端、基礎パッキン２、土台３側部を覆うように配設されており、これらの部材を雨水から保護する。
【００３９】
〜虫返し構造構成〜
次いで、虫返し構造について説明する。虫返し構造は、基礎パッキン２と虫返し板７と取付治具８とから構成される。虫返し構造は原則としてほぼ全ての基礎パッキン２に設けられる（図４参照）。
【００４０】
図５は、虫返し板７の構成図である。図５Ａは斜視図であり、図５Ｂは断面図である。なお、図５Ｃは変形例（後述）の断面図である。
【００４１】
虫返し板７は、取付部７１と建築基礎当接部７２と虫返し部７３とを備える。
【００４２】
取付部７１はフック状であり、取付治具８を介して（間接的に）基礎パッキン２に虫返し板７を取り付ける。図示（図１または図５）の例では、取付治具８のフックと取付部７１のフックが係合する。
【００４３】
建築基礎当接部７２は建築基礎１の側面に当接される平板状部材である。図示の例では、連結部７４を介して取付部７１と連続している。
【００４４】
虫返し部７３は建築基礎当接状態において建築基礎当接部７２から斜め下方に延設される平板状部材である。建築基礎当接部７２が形成する平面と虫返し部７３が形成する平面とが為す角は１５〜４５度程度が好ましい。更に２０〜４０度程度（３０度前後）がより好ましい。この所定角により、地上から建築基礎１を伝わって上ってくる虫を追い返す。
【００４５】
なお、虫返し板７は基礎パッキン２長尺方向長とほぼ相当の長さを有する。
【００４６】
図６および図７は取付治具８の構成図である。いくつかのバリエーションを例示する。
【００４７】
図６において、取付治具８は取付部８１と、建築基礎当接部８２と、通気孔挿入部８３とを備える。
【００４８】
図６Ａ〜Ｄにおいて取付部８１および建築基礎当接部８２はほぼ共通である。すなわち、取付部８１はフック状であり、取付部８１のフックと取付部７１のフックが係合することにより、基礎パッキン２に虫返し板７を取り付ける。また、建築基礎当接部８２は取付部８１の裏面であって、建築基礎１の側面に当接される。
【００４９】
図６Ａにおいて、通気孔挿入部８３の断面形状は、通気孔２１内空形状にほぼ相当する。さらに、基礎パッキン上底部２２端面に係止される係止部８４を備える。
【００５０】
通気孔挿入部８３が通気孔２１に嵌合され、係止部８４が基礎パッキン上底部２２端面に係止され、建築基礎当接部８２が建築基礎１の側面に当接されることにより、確実に取付治具８は基礎パッキン２に取付けられる。
【００５１】
図６Ｂにおいて、通気孔挿入部８３の断面形状は、通気孔２１内空形状の下半分にほぼ相当する。さらに、独立した拘束部材８５を備える。拘束部材８５の断面形状は、通気孔２１内空形状の上半分にほぼ相当する。拘束部材８５は、基礎パッキン上底部２２端面に係止される係止部８４と取外しを容易にする取外し爪８６を備える。
【００５２】
通気孔挿入部８３が通気孔２１に挿入され、建築基礎当接部８２が建築基礎１の側面に当接され、さらに、拘束部材８５が通気孔２１に嵌合されることにより、確実に取付治具８は基礎パッキン２に取付けられる（図３参照）。取付治具８が２部材から構成されることにより、挿入しやすく、取り外しやすい。
【００５３】
図６Ｃにおいて、通気孔挿入部８３の断面形状は円形状であり、通気孔挿入部８３の長さは通気孔２１奥行きにほぼ相当する。さらに、基礎パッキン隔壁２４端面（表裏）に係止される係止部８４，８４を備える。係止部８４，８４の断面形状は通気孔２１形状より小さい。
【００５４】
取付部材を略９０度回転させ、図示後側の係止部８４を通気孔２１に挿入することにより、通気孔挿入部８３が通気孔２１に挿入される。更に取付部材を略９０度逆回転させると、建築基礎当接部８２が建築基礎１の側面に当接され、係止部８４，８４が基礎パッキン隔壁２４端面（表裏）に係止されることにより、確実に取付治具８は基礎パッキン２に取付けられる。
【００５５】
図６Ｄにおいて、通気孔挿入部８３，８３は対向する２枚の略台形状の平板である。図示奥側が台形短辺となり、図示手前側が台形長辺となる。２枚の平板の間隔は基礎パッキン隔壁２４，２４の間隔にほぼ相当する。
【００５６】
通気孔挿入部８３を通気孔２１に挿入すると、２枚の平板は板バネとして作用し、隔壁２４，２４をそれぞれ押圧する。更に建築基礎当接部８２が建築基礎１の側面に当接されることにより、確実に取付治具８は基礎パッキン２に取付けられる。略台形状であることにより、挿入しやすく、取り外しやすい。
【００５７】
図７において、取付治具８は取付部８１と、建築基礎当接部８２と、係止部８４と、隔壁挟持部８７，８７とを備える。図７Ａ〜Ｃは、一実施例を多方向から表わしたものである。
【００５８】
図７において取付部８１、建築基礎当接部８２および係止部８４は、図６とほぼ共通である。
【００５９】
隔壁挟持部８７，８７は対向する２つの部材である。挟みやすいように、若干内側に食い込んでいる。２つの部材の間隔は基礎パッキン隔壁２４の壁厚にほぼ相当する。更に、基礎パッキン隔壁２４端面に係止される係止部８４を備える。
【００６０】
隔壁挟持部８７，８７が隔壁２４に嵌合するように取付治具８を押し込むと、隔壁挟持部８７，８７はバネとして作用し、隔壁２４を挟みこむ。更に建築基礎当接部８２が建築基礎１の側面に当接され、係止部８４が基礎パッキン隔壁２４端面に係止されることにより、確実に取付治具８は基礎パッキン２に取付けられる。
【００６１】
通気孔挿入部８３を有する取付治具８に比べて、隔壁挟持部８７，８７を有する取付治具８は、通気量を確保できる点で有利となる。
【００６２】
なお、図７Ｂに記載の面取挿入部８８については後述する。
【００６３】
〜取付手順〜
図２〜４に戻り、虫返し構造の取付手順を説明する。
【００６４】
基礎パッキン２の長尺方向が建築基礎１の長手方向に沿うように、基礎パッキン２端面と建築基礎１側面が略同一平面となるように、基礎パッキン２を配設する（図２参照）。
【００６５】
取付治具８を基礎パッキン２の通気孔２１に挿入して係止させる、または、隔壁２４に挟持させることにより、基礎パッキン２に取付ける（図３参照）。
【００６６】
取付部７１と取付部８１を係合することで、取付治具８を介して虫返し板７を基礎パッキン２に取り付ける。このとき、建築基礎当接部７２が建築基礎１の側面に確実に当接されるようにする（図４参照）。
【００６７】
〜補助機能〜
より確実に、虫返し板７を基礎パッキン２に取り付けるように、更に以下の補助機能を追加してもよい。
【００６８】
取付治具８は、面取挿入部８８を備える（図７Ｂ参照）。図８は、取付治具の取付状態を示す断面図である。
【００６９】
基礎パッキン２において基礎パッキン下面と端面とからなる隅角部は面取されている。また、建築基礎１天端の隅角部において面取されることもある。したがって、建築基礎天端と基礎パッキン下面とにより面取空間が形成される。
【００７０】
面取挿入部８８は、建築基礎当接部８２から略直角に延設され、面取空間に挿入され係止される。建築基礎当接部８２が建築基礎１の側面に当接されることにより、取付治具８が水平方向に拘束されるとともに、面取挿入部８８により取付治具８が上下方向に拘束される。
【００７１】
これにより、確実に取付治具８は基礎パッキン２に取付けられる。その結果、より確実に、虫返し板７を基礎パッキン２に取り付けることができる。
【００７２】
図５Ｃに戻り、虫返し板７における補助機能について説明する。
【００７３】
図５Ｂにおいて、建築基礎当接部７２は、未取付状態において、建築基礎当接想定面にほぼ一致している（傾斜角なし）。
【００７４】
これに対し、図５Ｃにおいて、建築基礎当接部７２は、未取付状態において、建築基礎当接想定面に対し、下端が建築基礎側になるように、所定角度、傾斜している。
【００７５】
この傾斜角度は、５〜３０度程度が好ましい。更に１０〜２５度程度（２０度前後）がより好ましい。
【００７６】
図５Ｃにおいて、建築基礎当接部７２が建築基礎１の側面に確実に当接されるように、虫返し板７を取り付けると、連結部７４が板バネとして作用し、建築基礎当接部７２を建築基礎１の側面に押圧する。特に、建築基礎当接部７２の下端部において強い押圧力が発生する。
【００７７】
これにより、より確実に、虫返し板７を基礎パッキン２に取り付けることができるとともに、虫返し部７３以外でも虫の侵入を防止する。
【００７８】
〜変形例〜
本願発明は上記実施形態に限定されるものでなく技術思想の範囲で種々の変形が可能である。
【００７９】
変形の一例として、虫返し板７の取付部７１と取付治具８の取付部８１との取付構造の変形例（変形例１）について説明する。図９は変形例１の分解構成図であり、図１０は変形例１の取付状態を示す図である。
【００８０】
虫返し板７の取付部７１は、長尺方向に連続する孔である。取付治具８の取付部８１は軸部と係止部とからなる。軸部は建築基礎当接部８２の反対側面から立設される。係止部は軸部の頭部に設けられるドーム状部材である。
【００８１】
取付部８１軸部は取付部７１（孔）よりやや小径であり、取付部８１係止部は取付部７１と同径またはやや大きい。取付部８１軸部長さは取付部７１（孔）の深さにほぼ相当する。
【００８２】
取付部８１が取付部７１を挿通するとともに、取付部８１係止部は孔の周囲に係止される。これにより、取付治具８のフックと取付部７１のフックが嵌合する。
【００８３】
その結果、虫返し板７は取付治具８を介して基礎パッキン２に取り付けられる。
【００８４】
実施形態における虫返し板は押出成型によるものであるが、変形例１における虫返し板は射出成型により製造できる。
【００８５】
変形の別例（変形例２）について説明する。図１１は変形例２の構成図である。
【００８６】
上記実施形態では、虫返し板７と取付治具８は別構成であり、取付部７１と取付部８１との取付け構造により一体化されるが、変形例２のように虫返し板７と取付治具８とが一体成形されていてもよい。虫返し板７は直接基礎パッキン２に取付けられる。
【００８７】
変形例２における一体構造は射出成型により製造できる。
【００８８】
〜効果〜
本願発明者は、基礎パッキンが従来型の換気口に対し、様々な点で優れていくことに着目した。そして更なる防虫効果の向上を企図した。
【００８９】
具体的には、基礎パッキンの形状を観察することにより、既存の基礎パッキンをそのまま用いつつ、簡易な構成で虫返し構造を実現した。
【００９０】
簡易な構成であるため、水切６が形成する空間内に収容される。水切６の機能を損なうことはない。また、通常の視点からでは虫返し構造は水切６に隠れるため、美観を大きく損なうことがない。簡易な構成であるため、経年時の取り換えが容易である。
【００９１】
したがって、本願発明は極めて実用性が高い。
【００９２】
本願発明において、薬剤処理と併用することにより、相乗的な防虫効果を期待でききる。また、薬剤使用料を減らすこともできる。
【符号の説明】
【００９３】
１  建築基礎
２  基礎パッキン
３  土台
４  壁部
５  外装材
６  水切り板
７  虫返し板
８  取付治具
２１  通気孔
２２  基礎パッキン上底部
２３  基礎パッキン下底部
２４  隔壁
７１  取付部
７２  建築基礎当接部
７３  虫返し部
７４  連結部
８１  取付部
８２  建築基礎当接部
８３  通気孔挿入部
８４  係止部
８５  拘束部材
８６  取外し爪
８７  隔壁挟持部
【図１】
2018003486.tif 000003
【図２】
2018003486.tif 000004
【図３】
2018003486.tif 000005
【図４】
2018003486.tif 000006
【図５】
2018003486.tif 000007
【図６】
2018003486.tif 000008
【図７】
2018003486.tif 000009
【図８】
2018003486.tif 000010
【図９】
2018003486.tif 000011
【図１０】
2018003486.tif 000012
【図１１】
2018003486.tif 000013